(57)【要約】  融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む繊維を含み、前記繊維が海島構造を有し、前記繊維の軸方向に直交する断面における島相のうち、直径０．１２μｍ以上０．６３μｍ未満の島相の割合が個数基準で３０％以上である、スパンボンド不織布。（Ｉ）は、プロピレンと、エチレン及び炭素数が４以上２０以下であるα−オレフィンから選ばれる少なくとも１種と、のランダム共重合体である。（ＩＩ）は、特定の条件を満たす融点１２０℃未満のプロピレン単独重合体
2020158875.tif 000002
【特許請求の範囲】
【請求項１】
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む繊維を含み、
前記繊維が海島構造を有し、前記繊維の軸方向に直交する断面における島相のうち、直径０．１２μｍ以上０．６３μｍ未満の島相の割合が個数基準で３０％以上である、スパンボンド不織布。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率である、Ｍｎは数平均分子量である。
【請求項２】
直径が０．６３μｍ以上である島相の割合が個数基準で１０％以下である、請求項１に記載のスパンボンド不織布。
【請求項３】
直径が０．１２μｍ未満である島相の割合が個数基準で７０％以下である、請求項１または請求項２に記載のスパンボンド不織布。
【請求項４】
前記ポリエチレンの含有量が、前記繊維の全量に対して１．０質量％以上１５．０質量％以下である、請求項１〜請求項３のいずれか１項に記載のスパンボンド不織布。
【請求項５】
前記（Ｉ）に示す重合体及び（ＩＩ）に示す重合体からなる群より選択される少なくとも一種の重合体の含有量が、前記繊維の全量に対して５．０質量％以上３０．０質量％以下である、請求項１〜請求項４のいずれか１項に記載のスパンボンド不織布。
【請求項６】
前記融点１４０℃以上のプロピレン単独重合体の含有量が、前記繊維の全量に対して５５．０質量％以上９０．０質量％以下である、請求項１〜請求項５のいずれか１項に記載のスパンボンド不織布。
【請求項７】
前記繊維が炭素数１５以上２２以下の脂肪酸アミドを含み、前記炭素数１５以上２２以下の脂肪酸アミドの含有量が、前記繊維の全量に対して０．１質量％以上５．０質量％以下である、請求項１〜請求項６のいずれか１項に記載のスパンボンド不織布。
【請求項８】
前記（Ｉ）に示す重合体が、プロピレンに由来する構成単位とエチレンに由来する構成単位とを少なくとも含むランダム共重合体である、請求項１〜請求項７のいずれか１項に記載のスパンボンド不織布。
【請求項９】
請求項１〜請求項８のいずれか１項に記載のスパンボンド不織布を含む衛生材料。
【請求項１０】
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む組成物を、押し出し機Ａ及び押し出し機Ｂから、押し出される組成物の量が質量基準で８５：１５〜５５：４５（押し出し機Ａ：押し出し機Ｂ）となるように押し出すことを特徴とする、スパンボンド不織布の製造方法。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率である、Ｍｎは数平均分子量である。
【請求項１１】
前記押し出し機Ａの口径Ａは、前記押し出し機Ｂの口径Ｂよりも大きい、請求項１０に記載のスパンボンド不織布の製造方法。
【発明の詳細な説明】
【技術分野】
【０００１】
本開示は、スパンボンド不織布、衛生材料、及びスパンボンド不織布の製造方法に関する。
【背景技術】
【０００２】
近年、不織布は通気性及び柔軟性に優れることから各種用途に幅広く用いられている。不織布の代表的な用途としては、例えば、紙おむつ、生理用ナプキン等の吸収性物品、衛生マスク、医療用ガーゼ、湿布材の基布等が挙げられる。
このような不織布には、使用される箇所によって伸長性を有すること等が求められる。【０００３】
例えば、特表平９−５１２３１３号公報には、複合不織布に含まれる不織布として、ポリエチレンとプロピレンポリマーとを含む、伸張性が良好な密着型伸張性不織布に関する技術が提案されている。
また、国際公開第２０１４／０５０９６５号には、柔軟性を有する不織布としては、融点の互いに異なる２種以上のポリプロピレンと特定の脂肪酸アミドとを含む組成物からなるスパンボンド不織布が提案されている。
更に、国際公開第２０１７／００６９７２号には、低温でのヒートシール性、延伸加工適性が良好なスパンボンド不織布として、比較的融点の高いプロピレン単独重合体と、ポリエチレンに加え、更に、特定の炭素数を有するα−オレフィンとプロピレンとのランダム共重合体と比較的低融点であり特定のメソペンタッド分率、ラセミペンタッド分率であるプロピレン単独重合体とからなる群より選ばれる重合体を含むスパンボンド不織布が提案されている。
【発明の概要】
【発明が解決しようとする課題】
【０００４】
特表平９−５１２３１３号公報に記載の密着型伸張性不織布では、複合不織布として、第二の伸張性層を有する態様が想定されているものの、単独の不織布として使用するには、伸長性の向上が求められる場合がある。
国際公開第２０１４／０５０９６５号に記載のスパンボンド不織布は、伸長性の向上が求められる場合がある。
国際公開第２０１７／００６９７２号に記載のスパンボンド不織布に対しては、伸長性をより向上させることが求められる場合がある。【０００５】
本発明の一実施形態によれば、熱可塑性ポリウレタンエラストマーを用いることなく、伸長性に優れたスパンボンド不織布、及びスパンボンド不織布を用いた衛生材料が提供される。
本発明の別の一実施形態によれば、伸長性に優れたスパンボンド不織布の製造方法が提供される。
【課題を解決するための手段】
【０００６】
本開示は、以下の実施態様を含む。
＜１＞
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む繊維を含み、
前記繊維が海島構造を有し、前記繊維の軸方向に直交する断面における島相のうち、直径０．１２μｍ以上０．６３μｍ未満の島相の割合が個数基準で３０％以上である、スパンボンド不織布。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率である、Ｍｎは数平均分子量である。
＜２＞
直径が０．６３μｍ以上である島相の割合が個数基準で１０％以下である、＜１＞に記載のスパンボンド不織布。
＜３＞
直径が０．１２μｍ未満である島相の割合が個数基準で７０％以下である、＜１＞または＜２＞に記載のスパンボンド不織布。
＜４＞
前記ポリエチレンの含有量が、前記繊維の全量に対して１．０質量％以上１５．０質量％以下である、＜１＞〜＜３＞のいずれか１つに記載のスパンボンド不織布。
＜５＞
前記（Ｉ）に示す重合体及び（ＩＩ）に示す重合体からなる群より選択される少なくとも一種の重合体の含有量が、前記繊維の全量に対して５．０質量％以上３０．０質量％以下である、＜１＞〜＜４＞のいずれか１つに記載のスパンボンド不織布。
＜６＞
前記融点１４０℃以上のプロピレン単独重合体の含有量が、前記繊維の全量に対して５５．０質量％以上９０．０質量％以下である、＜１＞〜＜５＞のいずれか１つに記載のスパンボンド不織布。
＜７＞
前記繊維が炭素数１５以上２２以下の脂肪酸アミドを含み、前記炭素数１５以上２２以下の脂肪酸アミドの含有量が、前記繊維の全量に対して０．１質量％以上５．０質量％以下である、＜１＞〜＜６＞のいずれか１つに記載のスパンボンド不織布。
＜８＞
前記（Ｉ）に示す重合体が、プロピレンに由来する構成単位とエチレンに由来する構成単位とを少なくとも含むランダム共重合体である、＜１＞〜＜７＞のいずれか１つに記載のスパンボンド不織布。
＜９＞
＜１＞〜＜８＞のいずれか１つに記載のスパンボンド不織布を含む衛生材料。
＜１０＞
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む組成物を、押し出し機Ａ及び押し出し機Ｂから、押し出される組成物の量が質量基準で８５：１５〜５５：４５（押し出し機Ａ：押し出し機Ｂ）となるように押し出すことを特徴とする、スパンボンド不織布の製造方法。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率である。
＜１１＞
前記押し出し機Ａの口径Ａは、前記押し出し機Ｂの口径Ｂよりも大きい、前記＜１０＞に記載のスパンボンド不織布の製造方法。
【発明の効果】
【０００７】
本発明の一実施形態によれば、伸長性に優れたスパンボンド不織布、及びスパンボンド不織布を用いた衛生材料が提供される。
本発明の別の一実施形態によれば、伸長性に優れたスパンボンド不織布の製造方法が提供される。
【図面の簡単な説明】
【０００８】
【図１Ａ】図１Ａは、実施例２のスパンボンド不織布における繊維の断面を透過型電子顕微鏡で観察したときの像である。
【図１Ｂ】図１Ｂは、実施例３のスパンボンド不織布における繊維の断面を透過型電子顕微鏡で観察したときの像である。
【図１Ｃ】図１Ｃは、比較例１のスパンボンド不織布における繊維の断面を透過型電子顕微鏡で観察したときの像である。
【図２】図２は、本発明のスパンボンド不織布を製造するためのスパンボンド不織布製造装置の一例を示す概略図である。
【図３】図３は、ギア延伸装置の概略図である。
【発明を実施するための形態】
【０００９】
以下、本発明の実施形態（以下、「本実施形態」ともいう）について説明する。
但し、本発明は以下の実施形態に限定されるものではない。以下の実施形態において、その構成要素（要素ステップ等も含む）は、特に明示した場合、原理的に明らかに必須であると考えられる場合等を除き、必須ではない。数値及びその範囲についても同様であり、本発明を制限するものではない。
【００１０】
本明細書において「工程」との語は、独立した工程だけではなく、他の工程と明確に区別できない場合であってもその工程の目的が達成されれば、本用語に含まれる。
本明細書において組成物中の各成分の含有量は、組成物中に各成分に該当する物質が複数種存在する場合、特に断らない限り、組成物中に存在する当該複数種の物質の合計量を意味する。
【００１１】
＜スパンボンド不織布＞
本実施形態のスパンボンド不織布は、融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む組成物からなる繊維を含み、前記繊維が海島構造を有し、前記繊維の軸方向に直交する断面における島相のうち、直径０．１２μｍ以上０．６３μｍ未満の島相の割合が個数基準で３０％以上である、スパンボンド不織布である。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率である。
なお、「（Ｉ）に示す重合体及び（ＩＩ）に示す重合体からなる群より選択される少なくとも一種の重合体」を総じて、「特定重合体」と称することがある。
【００１２】
本実施形態のスパンボンド不織布は、比較的融点の高いプロピレン単独重合体、前述のポリエチレン、及び、特定重合体を含む組成物からなる繊維により構成されるものであって、繊維が海島構造を有し、繊維の軸方向に直交する断面における島相のうち、直径０．１２μｍ以上０．６３μｍ未満の島相の割合が個数基準で３０％以上である。
本発明者らは、上記のような海島構造を有する繊維を含み、繊維の軸方向に直交する断面における島相のうち、直径０．１２μｍ以上０．６３μｍ未満の島相の割合が個数基準で３０％以上であることで、得られたスパンボンド不織布の伸長性が高まるという新たな知見を得た。上記のように繊維が海島構造を有することで、ポリプロピレンの配向結晶化を阻害して伸長性が高まるものと推測され、直径０．１２μｍ以上０．６３μｍ未満の島相の割合が上記範囲内であることでポリプロピレンの配向結晶化の阻害がより適切に行われ伸長性がより高まると考えられる。
【００１３】
本実施形態のスパンボンド不織布は、海島構造を有する繊維により構成される。そして、繊維の海島構造における島相のうち、直径０．１２μｍ以上０．６３μｍ未満の島相の割合が個数基準で３０％以上である。伸長性向上の観点から、島相のうち、直径０．１２μｍ以上０．６３μｍ未満の島相の割合が個数基準で４０％以上であることが好ましく、５０％以上であることがより好ましく、５５％以上であることが更に好ましい。
【００１４】
本実施形態のスパンボンド不織布は、繊維の海島構造における島相のうち、直径が０．６３μｍ以上である島相の割合が個数基準で１０％以下であることが伸長性向上の観点から好ましく、また、４％以下であることがより好ましく、１％以下であることが更に好ましい。
【００１５】
本実施形態のスパンボンド不織布は、繊維の海島構造における島相のうち、直径が０．１２μｍ未満である島相の割合が個数基準で７０％以下であることが伸長性向上の観点から好ましく、また、６０％以下であることがより好ましく、４５％以下であることが更に好ましい。また、直径が０．１２μｍ未満である島相の割合の下限値として、個数基準で５％以上でもよい。
【００１６】
ここで、繊維の海島構造における直径が０．６３μｍ以上である島相の割合、直径０．１２μｍ以上０．６３μｍ未満の島相の割合、及び、直径が０．１２μｍ未満である島相の割合は、例えば、以下の方法で測定される。
【００１７】
スパンボンド不織布から繊維を取り出し、パラフィンに包埋し、測定試料を作製する。そして、測定試料を、繊維の軸方向に直交する方向と刃が平行するようにミクロトームに設置し、繊維の軸方向に直交する方向に沿ってスライスする。スライスして得られた繊維にカーボン補強を施した後、スライスして得られた繊維の断面を、透過型電子顕微鏡（ＴＥＭ：Transmission Electron Microscope）を用いて観察する。繊維の断面には、海島模様が確認される。連続した相を海相、分散して存在する相を島相として、観察範囲内(断面)にある島相の直径を計測する。直径が０．６３μｍ以上である島相の個数、直径が０．１２μｍ以上０．６３μｍ未満である島相の個数、及び、直径が０．１２μｍ未満である島相の個数を数えた。各範囲に該当する島相の個数を、観察範囲内(断面)の島相数で割って割合を算出する。透過型電子顕微鏡としては、日立ハイテク(株)製の透過型電子顕微鏡型式：Ｈ−７６５０を用い、観察倍率を６０００倍又は８０００倍とする。島相の直径は、Ｍａｃ−Ｖｉｅｗ（株式会社マウンテック）にて画像解析を行い求める。具体的には、島相の長径と短径とを測定し、その平均値を直径とする。
【００１８】
本実施形態のスパンボンド不織布を構成する組成物又は組成物からなる繊維に上記各成分が含まれることは、公知の方法により、適宜、確認することができる。
なお、（ＩＩ）に示す重合体における融点１２０℃未満のプロピレン単独重合体の、メソペンタッド分率［ｍｍｍｍ］、ラセミペンタッド分率［ｒｒｒｒ］及びラセミメソラセミメソペンタッド分率［ｒｍｒｍ］、並びに、トリアッド分率［ｍｍ］、［ｒｒ］及び［ｍｒ］は、以下に詳述するように、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠して算出することができる。
【００１９】
本実施形態における組成物において、ポリエチレンの含有量が１．０質量％以上１５．０質量％以下であることが好ましく、３．０質量％以上１２．０質量％以下であることがより好ましく、６．０質量％以上１０．０質量％以下が更に好ましい。
組成物におけるポリエチレンの含有量が上記範囲において、得られるスパンボンド不織布の伸長性の向上が図れる。
【００２０】
また、本実施形態における組成物に含まれるポリエチレンは、スパンボンド不織布の強度の向上の点から、密度が０９４１ｇ／ｃｍ３以上０．９７０ｇ／ｃｍ３以下の範囲にある。
組成物におけるポリエチレンの密度が上記範囲であることで、得られるスパンボンド不織布の強度の向上が図れる。
【００２１】
本実施形態における組成物において、特定重合体の含有量が５．０質量％以上３０．０質量％以下であることが好ましく、１０．０質量％以上３０．０質量％以下であることがより好ましく、１５．０質量％以上２５．０質量％以下が更に好ましい。
組成物におけるポリエチレンの含有量が上記範囲において、得られるスパンボンド不織布の伸長性の向上が図れる。
【００２２】
本実施形態における特定重合体は、得られるスパンボンド不織布の伸長性をより向上させる点から、（Ｉ）プロピレンに由来する構成単位とエチレンに由来する構成単位とを少なくとも含むランダム共重合体、又は、（ＩＩ）（ａ）〜（ｆ）を満たす融点１２０℃未満のプロピレン単独重合体が好ましく、プロピレンに由来する構成単位とエチレンに由来する構成単位とを少なくとも含むランダム共重合体がより好ましく、プロピレンに由来する構成単位及びエチレンに由来する構成単位のみからなるランダム共重合体が更に好ましい。
【００２３】
本実施形態における組成物において、融点１４０℃以上のプロピレン単独重合体の含有量が５５．０質量％以上９０．０質量％以下であることが好ましく、６０．０質量％以上８５．０質量％以下であることがより好ましく、６５．０質量％以上８０．０質量％以下が更に好ましい。
組成物における融点１４０℃以上のプロピレン単独重合体の含有量が上記範囲であることで、得られるスパンボンド不織布の伸長性の向上が図れると共に、スパンボンド不織布の強度物性が良好な範囲に維持され、低目付で柔軟な不織布を得られ易い。
【００２４】
本実施形態における組成物は、炭素数１５以上２２以下の脂肪酸アミドを含むことが好ましい。組成物が炭素数１５以上２２以下の脂肪酸アミドを含有することで、組成物により形成されるスパンボンド不織布の繊維表面に、炭素数１５以上２２以下の脂肪酸アミドが吸着し、繊維表面が改質される。その結果、不織布の伸長性及び柔軟性がより向上する。
炭素数１５以上２２以下の脂肪酸アミドの含有量は、組成物の全量に対して０．１質量％以上５．０質量％以下であることが好ましく、０．１質量％以上３．０質量％以下がより好ましく、０．１質量％以上１．０質量％以下が更に好ましい。
【００２５】
本実施形態のスパンボンド不織布は、以下に詳述する組成物を用いて常法により製造することができる。
ここで、本実施形態のスパンボンド不織布の目付は特に制限されない。
本実施形態の不織布は、柔軟性と強度とを両立するという観点からは、通常、目付が３０ｇ／ｍ２以下であることが好ましく、２８ｇ／ｍ２以下であることがより好ましく、２５ｇ／ｍ２以下であることが更に好ましく、５ｇ／ｍ２以上２０ｇ／ｍ２以下の範囲であることが最も好ましい。本実施形態のスパンボンド不織布を後述する衛生材料等に適用する場合、スパンボンド不織布の目付は、５ｇ／ｍ２以上１９ｇ／ｍ２以下の範囲にあることが好ましい。スパンボンド不織布の目付は、例えば、以下の方法で測定される。
【００２６】
スパンボンド不織布から、流れ方向（ＭＤ）が３００ｍｍ、横方向（ＣＤ）が２５０ｍｍの試験片を１０枚採取する。なお、採取箇所は任意の１０箇所とする。次いで、採取した各試験片の質量（ｇ）を、上皿電子天秤（研精工業社製）を用いてそれぞれ測定する。各試験片の質量の平均値を求める。求めた平均値から１ｍ２当たりの質量（ｇ）に換算し、小数点第１位を四捨五入して、スパンボンド不織布の目付〔ｇ／ｍ２〕とする。
【００２７】
スパンボンド不織布を構成する繊維は、通常、繊維径が５０μｍ以下であることが好ましく、４０μｍ以下であることがより好ましく、３０μｍ以下であることが更に好ましく、最も好ましくは２０μｍ以下である。繊維径は小さいほど不織布の柔軟性に優れるが、ハンドリング性、製造適性及び得られた不織布の毛羽立ち発生抑制の観点からは、繊維径は１０μｍ以上であることが好ましい。
【００２８】
〔スパンボンド不織布の物性〕
以下に、本実施形態のスパンボンド不織布の好ましい物性を挙げる。
【００２９】
（ヒートシール性）
本実施形態のスパンボンド不織布の物性の一つとしてヒートシール性が挙げられる。
スパンボンド不織布のヒートシール性は、２枚の不織布を重ね合わせ、ヒートシール試験機でヒートシールした場合、１８０℃以下の温度にてヒートシールし得ることが好ましく、１６０℃以下の温度でヒートシールし得ることがより好ましい。
また、上記条件にてヒートシールした場合の焼け、即ち加熱による変色が抑制されることが好ましい。
ヒートシールを行なった２枚のスパンボンド不織布の引張剥離強度は、スパンボンド不織布の使用目的により適宜定められるが、一般的には、０．０５Ｎ／２０ｍｍ以上であることが好ましく、０．１Ｎ／２０ｍｍ以上であることがより好ましい。スパンボンド不織布の引張剥離強度は、例えば、以下の方法で測定される。
【００３０】
スパンボンド不織布から、流れ方向（ＭＤ）が１００ｍｍ、横方向（ＣＤ）が１００ｍｍの試験片を１０点採取する。次いでこの試験片をＭＤ方向が同じ向きになるように２枚重ね合せ、テスター産業（株）製のヒートシール試験機（製品名：ヒートシールテスター）を使用し、下記の条件でヒートシールを行う。
シールバー幅：１０．０ｍｍ
シール圧力  ：２．０ｋｇ／ｃｍ２
シール時間  ：１．０秒
シール温度  ：上部バー及び下部バーを同一温度に設定（１４５℃、１５５℃）
シール方向  ：ＭＤと垂直
【００３１】
定速度引張試験機（（株）東洋精機社製、製品名：ストログラフ）を用いて、上記条件でヒートシールを行なった試験片の引張剥離試験を、下記の条件で各々５枚ずつ実施する。測定によって得られた値の平均値を、引張剥離強度とする。
試験片形状      ：幅２０ｍｍ、長さ５０ｍｍ
引張速度        ：３０ｍｍ／分
測定時雰囲気温度：２３℃
【００３２】
（エンボス残存率）
本実施形態のスパンボンド不織布の物性の一つとしてエンボス残存率が挙げられる。
スパンボンド不織布の延伸加工後のエンボス残存率は４０％以上であることが好ましく、５０％以上であることがより好ましく、７０％以上であることが更に好ましい。
延伸加工後のエンボス残存率が４０％以上であると、スパンボンド不織布の触感がより良好となる。
エンボス残存率は、例えば、以下の方法で測定される。
【００３３】
スパンボンド不織布から、流れ方向（ＭＤ）が２５０ｍｍ、横方向（ＣＤ）が２００ｍｍの試験片を１枚採取する。得られた試験片を、図３に示すようなギア延伸装置（言い換えると、ギア加工機）のロール回転方向と試験片のＣＤ方向が一致するように挿入し、ＭＤ方向（すなわち、不織布の流れ方向）にギア延伸されたスパンボンド不織布を得る。ギア加工機に搭載されるギアロールは各々直径が２００ｍｍ、ギアピッチが２．５ｍｍであり、両ロールの噛み合い深さを５．５ｍｍとなるように調整する。ギア延伸されたスパンボンド不織布のエンボス部について、走査電子顕微鏡（ＳＥＭ：:Scanning Electron Microscope）を用いて形態観察を行う。エンボス残存率は、下記の式に基づいて算出する。
エンボス残存率＝（破壊されていないエンボス数／観察されたエンボス数）×１００
なお、ギア延伸されたスパンボンド不織布のエンボス部の観察により、エンボス部での孔あき、繊維の脱離、及びエンボス部とその境界における繊維切れのいずれもが確認されなかったエンボス部を「破壊されていないエンボス」とする。「破壊されていないエンボス数」とは、観察範囲内に存在する破壊されていないエンボスの個数を意味する。「観察されたエンボス数」とは、観察範囲内に存在するエンボスの個数を意味する。走査電子顕微鏡としては、日立製作所社製のＳ−３５００Ｎ形走査電子顕微鏡を用い、観察倍率を１００倍とする。
【００３４】
（柔軟性）
本実施形態のスパンボンド不織布の物性の一つとして柔軟性が挙げられる。
スパンボンド不織布の柔軟性は不織布の使用感に大きな影響を与える。柔軟性としては、手触りによる官能評価による柔軟性が挙げられる。
【００３５】
（最大伸度及び最大強度）
本実施形態のスパンボンド不織布の好ましい物性の一つとして、最大伸度及び最大強度が挙げられる。
本実施形態のスパンボンド不織布は、少なくとも一方向の最大伸度が７０％以上であることが好ましく、１００％以上であることがより好ましく、１４０％以上であることが更に好ましい。
また、本実施形態のスパンボンド不織布は、少なくとも一方向の最大強度が１０Ｎ／５０ｍｍ以上であることが好ましく、１５Ｎ／５０ｍｍ以上であることがより好ましく、２０Ｎ／５０ｍｍ以上であることが更に好ましい。
また、弾性回復が殆どない性質を有するスパンボンド不織布が好ましい。
スパンボンド不織布の最大伸度及び最大強度は、例えば、以下の方法で測定される。
【００３６】
スパンボンド不織布から、ＪＩＳ Ｌ １９０６の６．１２．１［Ａ法］（ＪＩＳ  Ｌ  １９１３：２０１０へ移行、ＩＳＯ  ９０７３−３：１９８９に対応）に準拠して、ＪＩＳ Ｚ ８７０３（ＩＳＯ  ５５４：１９７６に対応、試験場所の標準状態）に規定する温度２０±２℃、湿度６５±２％の恒温室内で、流れ方向（ＭＤ）が２５ｃｍ、横方向（ＣＤ）が５ｃｍの試験片を５枚採取する。得られた試験片について、チャック間１００ｍｍ、及び引張速度３００ｍｍ／分の条件で引張り試験機（インストロンジャパンカンパニイリミテッド製、インストロン５５６４型）を用いて引張試験を行う。５枚の試験片について引張荷重を測定し、それらの最大値の平均値を最大強度とする。
また、最大強度における伸度を最大伸度とする。
【００３７】
本実施形態のスパンボンド不織布は、以下に詳述する組成物の１種又は２種以上を用いて常法により製造することができる。
【００３８】
〔組成物〕
本実施形態のスパンボンド不織布を構成する組成物は、既述のように、融点１４０℃以上のプロピレン単独重合体（以下、「特定ポリプロピレン」と称することがある）と、密度が０．９４１ｇ／ｃｍ３以上０．９７０ｇ／ｃｍ３以下であるポリエチレンと、（Ｉ）で示す重合体及び（ＩＩ）で示す重合体からなる群より選択される少なくとも一種の重合体（特定重合体）と、を含有する。
【００３９】
本実施形態の目的を効果的に達成する観点からは、組成物の全量中の特定ポリプロピレン及び特定重合体の合計含有率は８０質量％以上であることが好ましく、９０質量％以上であることがより好ましく、９５質量％以上であることが更に好ましい。
【００４０】
［融点１４０℃以上のプロピレン単独重合体（特定ポリプロピレン）］
融点１４０℃以上のプロピレン単独重合体は、プロピレンに由来する構成単位を含み、融点が１４０℃以上である。
プロピレン単独重合体の融点は１５０℃以上であることが好ましい。
【００４１】
特定ポリプロピレンは、ポリプロピレンの名称で製造又は販売されている結晶性樹脂であって、融点（Ｔｍ）が１４０℃上の樹脂であれば使用することができる。市販品としては、例えば、融点が１５５℃以上、好ましくは１５７℃以上１６５℃以下の範囲にあるプロピレンの単独重合体が挙げられる。
【００４２】
特定ポリプロピレンの融点は、示差走査型熱量計（ＤＳＣ）を用いて、窒素雰囲気下−４０℃で５分間保持した後１０℃／分で昇温させることにより得られた融解吸熱カーブの最も高温側に観測されるピークのピークトップとして定義される。
具体的には、示差走査型熱量計（パーキン・エルマー社製、ＤＳＣ−７）を用い、試料５ｍｇを窒素雰囲気下−４０℃で５分間保持した後、１０℃／分で昇温させることにより得られた融解吸熱カーブの最も高温側に観測されるピークのピークトップとして求めることができる。
【００４３】
特定ポリプロピレンのメルトフローレート（ＭＦＲ：ＡＳＴＭ  Ｄ  １２３８、２３０℃、荷重２１６０ｇ）は、溶融紡糸し得る限り特に限定はされないが、通常、１ｇ／１０分以上１０００ｇ／１０分以下、好ましくは５ｇ／１０分以上５００ｇ／１０分以下、更に好ましくは１０ｇ／１０分以上１００ｇ／１０分以下の範囲にある。
【００４４】
特定ポリプロピレンは、組成物に１種のみを用いてもよく、融点、分子量、結晶構造などが互いに異なる２種以上を用いてもよい。
組成物の全量に対する特定ポリプロピレンの好ましい含有量は、既述の通りである。
【００４５】
〔ポリエチレン〕
本実施形態に用い得る密度が０．９４１ｇ／ｃｍ３以上０．９７０ｇ／ｃｍ３以下であるポリエチレンは、エチレンに由来する構成単位を含む高密度ポリエチレン（所謂ＨＤＰＥ）などのエチレン単独重合体等が挙げられる。
組成物に高密度ポリエチレンを用いることで、伸長性、柔軟性、及び破断強度をより向上させることができる。
【００４６】
ポリエチレンは、組成物に１種のみを用いてもよく、融点、分子量、結晶構造などが互いに異なる２種以上を用いてもよい。
組成物の全量に対するポリエチレンの好ましい含有量は、既述の通りである。
【００４７】
〔特定重合体〕
本実施形態において、特定重合体を含む組成物を用いることで、得られたスパンボンド不織布は、良好な柔軟性及び伸長性を維持しながらも極めて優れた延伸加工適性を得ることができる。
【００４８】
［（Ｉ）で示す重合体：プロピレンと、エチレン及び炭素数が４以上２０以下であるα−オレフィンから選ばれる少なくとも１種と、のランダム共重合体］
（Ｉ）で示す重合体（以下、重合体（Ｉ）と称することがある）は、プロピレンに由来する構成単位と、エチレン及び炭素数４以上２０以下のα−オレフィンから選ばれる少なくとも１種のオレフィンに由来する構成単位と、を含むランダム共重合体である。
重合体（Ｉ）がランダム共重合体であることは、得られたスパンボンド不織布にべたつき感が発生せずに柔軟性が向上する点から好ましい。
重合体（Ｉ）としては、上記構成単位を含むランダム共重合体であれば特に制限されない。
【００４９】
プロピレンと共重合し得るモノマーとしては、エチレン、１−ブテン、１−ヘキセン、４メチル−１−ペンテン、１−オクテン、４−メチル−１−ペンテン等の炭素数４以上２０以下のα−オレフィンが挙げられる。
中でも、プロピレンと共重合させるモノマーは、エチレン又は炭素数４以上８以下のα−オレフィンが好ましい。
重合体（Ｉ）に含まれるα−オレフィンに由来する構成単位は１種のみでもよく、２種以上であってもよい。
重合体（Ｉ）の好ましい例としては、プロピレン・１−ブテンランダム共重合体、プロピレン・エチレンランダム共重合体、プロピレン・エチレン・１−ブテンランダム共重合体などが挙げられる。
【００５０】
本実施形態の目的を効果的に達成する観点からは、重合体（Ｉ）に含まれる全構成単位中のプロピレンに由来する構成単位及びプロピレン以外の前記オレフィンに由来する構成単位の合計の割合は８０モル％以上であることが好ましく、８５モル％以上であることがより好ましく、９０モル％以上であることが更に好ましい。
【００５１】
重合体（Ｉ）は、融点が１００℃以上であることが好ましく、１３０℃以上であることがより好ましく、１５０℃以上であることが更に好ましい。
重合体（Ｉ）の融点は、示差走査型熱量計（ＤＳＣ）を用いて、窒素雰囲気下−４０℃で５分間保持した後１０℃／分で昇温させることにより得られた融解吸熱カーブの最も高温側に観測されるピークのピークトップとして定義される。
具体的には、示差走査型熱量計（パーキン・エルマー社製、ＤＳＣ−７）を用い、試料５ｍｇを窒素雰囲気下−４０℃で５分間保持した後、１０℃／分で昇温させることにより得られた融解吸熱カーブの最も高温側に観測されるピークのピークトップとして求めることができる。
【００５２】
重合体（Ｉ）の結晶化度は、１５％以下であることが好ましく、１０％以下がより好ましく、８％以下が更に好ましい。
重合体（Ｉ）の結晶化度は、示差走査型熱量計（ＤＳＣ）を用いて、窒素雰囲気下−４０℃で５分間保持した後１０℃／分で昇温させることにより得られた融解吸熱カーブのうち主成分の融解に由来する融解熱カーブより算出される。
具体的には、示差走査型熱量計（パーキン・エルマー社製、ＤＳＣ−７）を用い、試料５ｍｇを窒素雰囲気下−４０℃で５分間保持した後、１０℃／分で昇温させることにより得られた融解吸熱カーブのうち主成分の融解に由来する融解熱カーブより下記の式を用いて算出することができる。
結晶化度＝（ΔＨ／ΔＨ０）×１００（％）
式中、ΔＨはエチレンとプロピレンを含むα−オレフィン共重合体の主成分の融解に由来する融解熱カーブより求めた融解熱量（Ｊ／ｇ）であり、ΔＨ０は主成分の完全結晶の融解熱量（Ｊ／ｇ）である。つまり、主成分がエチレンの場合、ΔＨ０は２９３Ｊ／ｇであり、主成分がプロピレンの場合、ΔＨ０は２１０Ｊ／ｇである。
【００５３】
重合体（Ｉ）は、ＪＩＳ Ｋ ７１６１（ＪＩＳ Ｋ ７１６１−１：２０１４に移行、ＩＳＯ  ５２７−１：２０１２に対応）に準拠した方法で測定される引張り弾性率が、１００ＭＰａ以下であることが好ましく、４０ＭＰａ以下であることがより好ましく、２５ＭＰａ以下であることが更に好ましい。
【００５４】
重合体（Ｉ）のメルトフローレート（ＭＦＲ：ＡＳＴＭ  Ｄ  １２３８、２３０℃、荷重２１６０ｇ）は、良好な紡糸性と優れた延伸加工適性を得る点より、通常、１ｇ／１０分以上１００ｇ／１０分以下の範囲にあることが好ましく、５ｇ／１０分以上１００ｇ／１０分以下の範囲にあることがより好ましく、３０ｇ／１０分以上７０ｇ／１０分以下の範囲にあることが更に好ましい。
【００５５】
重合体（Ｉ）の重量平均分子量（Ｍｗ）と数平均分子量（Ｍｎ）との比：Ｍｗ／Ｍｎ（分子量分布）は、通常１．５以上５．０以下である。紡糸性がより良好で、かつ繊維強度が特に優れる複合繊維が得られる点で、重合体（Ｉ）の分子量分布（Ｍｗ／Ｍｎ）は、更に１．５以上３．０以下が好ましい。
なお、良好な紡糸性とは、紡糸ノズルから重合体（Ｉ）の吐き出し時及び延伸中に糸切れを生じず、且つ、フィラメントの融着が生じないことをいう。
重合体（Ｉ）のＭｗ及びＭｎは、ＧＰＣ（ゲルパーミエーションクロマトグラフィー）によって、公知の方法で測定することができる。
測定方法の詳細は後述する。
【００５６】
［（ＩＩ）で示す重合体：下記（ａ）〜（ｆ）の要件を満たすプロピレン単独重合体］
（ＩＩ）で示す重合体（以下、重合体（ＩＩ）と称することがある）は、下記（ａ）〜（ｆ）の要件を満たす重合体である。
まず、（ａ）〜（ｆ）の要件について説明する。
【００５７】
・（ａ）［ｍｍｍｍ］＝２０モル％以上６０モル％以下
重合体（ＩＩ）のメソペンタッド分率［ｍｍｍｍ］が２０モル％以上であると、べたつきの発生が抑制され、６０モル％以下であると、結晶化度が高くなりすぎることがないので、弾性回復性が良好となる。
このメソペンタッド分率［ｍｍｍｍ］は、好ましくは３０モル％以上５０モル％以下であり、より好ましくは４０モル％以上５０モル％以下である。
【００５８】
メソペンタッド分率［ｍｍｍｍ］、後述するラセミペンタッド分率［ｒｒｒｒ］及びラセミメソラセミメソペンタッド分率［ｒｍｒｍ］は、エイ・ザンベリ（Ａ．Ｚａｍｂｅｌｌｉ）等により「Ｍａｃｒｏｍｏｌｅｃｕｌｅｓ，６，９２５（１９７３）」で提案された方法に準拠し、１３Ｃ−ＮＭＲスペクトルのメチル基のシグナルにより測定されるポリプロピレン分子鎖中のペンタッド単位でのメソ分率、ラセミ分率、及びラセミメソラセミメソ分率である。メソペンタッド分率［ｍｍｍｍ］が大きくなると、立体規則性が高くなる。また、後述するトリアッド分率［ｍｍ］、［ｒｒ］及び［ｍｒ］も上記方法により算出される。
【００５９】
なお、１３Ｃ−ＮＭＲスペクトルの測定は、エイ・ザンベリ（Ａ．Ｚａｍｂｅｌｌｉ）等により「Ｍａｃｒｏｍｏｌｅｃｕｌｅｓ，８，６８７（１９７５）」で提案されたピークの帰属に従い、下記の装置及び条件にて行うことができる。
【００６０】
装置  ：日本電子（株）製ＪＮＭ−ＥＸ４００型１３Ｃ−ＮＭＲ装置
方法  ：プロトン完全デカップリング法
濃度  ：２２０ｍｇ／ｍｌ
溶媒  ：１，２，４−トリクロロベンゼンと重ベンゼンの９０：１０（容量比）混合溶媒
温度  ：１３０℃
パルス幅  ：４５°
パルス繰り返し時間  ：４秒
積算  ：１００００回
【００６１】
［計算式］
Ｍ＝ｍ／Ｓ×１００
Ｒ＝γ／Ｓ×１００
Ｓ＝Ｐββ＋Ｐαβ＋Ｐαγ
Ｓ：全プロピレン単位の側鎖メチル炭素原子のシグナル強度
Ｐββ：１９．８ｐｐｍ以上２２．５ｐｐｍ以下のシグナル強度
Ｐαβ：１８．０ｐｐｍ以上１７．５ｐｐｍ以下のシグナル強度
Ｐαγ：１７．５ｐｐｍ以上１７．１ｐｐｍ以下のシグナル強度
γ：ラセミペンタッド連鎖：２０．７ｐｐｍ以上２０．３ｐｐｍ以下のシグナル強度
ｍ：メソペンタッド連鎖：２１．７ｐｐｍ以上２２．５ｐｐｍ以下のシグナル強度
なお、Ｍは、プロピレン中のメソペンタッド連鎖の存在率を表し、Ｒはプロピレン中のラセミペンタッド連鎖の存在率を表す。
【００６２】
・（ｂ）［ｒｒｒｒ］／（１−［ｍｍｍｍ］）≦０．１
［ｒｒｒｒ］／［１−ｍｍｍｍ］の値は、上記ラセミペンタッド単位及びメソペンタッド単位の分率から求められ、重合体（ＩＩ）におけるプロピレン由来の構成単位の規則性分布の均一さを示す指標である。この値が大きくなると、既存触媒系を用いて製造される従来のポリプロピレンのように高規則性ポリプロピレンとアタクチックポリプロピレンとの混合物となり、べたつきの原因となる。
重合体（ＩＩ）において、［ｒｒｒｒ］／（１−［ｍｍｍｍ］）が０．１以下であると、得られるスパンボンド不織布におけるべたつきが抑制される。このような観点から、［ｒｒｒｒ］／（１−［ｍｍｍｍ］）は、好ましくは０．０５以下であり、より好ましくは０．０４以下である。
【００６３】
・（ｃ）［ｒｍｒｍ］＞２．５モル％
重合体（ＩＩ）のラセミメソラセミメソ分率［ｒｍｒｍ］が２．５モル％を超える値であると、該重合体（ＩＩ）のランダム性が増加し、スパンボンド不織布の弾性回復性が更に向上する。［ｒｍｒｍ］は、好ましくは２．６モル％以上であり、より好ましくは２．７モル％以上である。重合体（ＩＩ）のラセミメソラセミメソ分率［ｒｍｒｍ］の上限は、通常１０モル％程度である。
【００６４】
・（ｄ）［ｍｍ］×［ｒｒ］／［ｍｒ］２≦２．０
［ｍｍ］×［ｒｒ］／［ｍｒ］２は、重合体（ＩＩ）のランダム性の指標を示し、この値が２．０以下であると、弾性不織布は十分な弾性回復性が得られ、且つ、べたつきも抑制される。［ｍｍ］×［ｒｒ］／［ｍｒ］２は、０．２５に近いほどランダム性が高くなる。上記十分な弾性回復性を得る観点から、［ｍｍ］×［ｒｒ］／［ｍｒ］２は、好ましくは０．２５を超え１．８以下であり、より好ましくは０．５以上１．５以下である。
【００６５】
・（ｅ）重量平均分子量（Ｍｗ）＝１０，０００以上２００，０００以下
プロピレン単独重合体である重合体（ＩＩ）において重量平均分子量が１０，０００以上であると、当該重合体（ＩＩ）の粘度が低すぎず適度のものとなるため、組成物により得られるスパンボンド不織布の製造時の糸切れが抑制される。また、重量平均分子量が２００，０００以下であると、当該重合体（ＩＩ）の粘度が高すぎず、紡糸性が向上する。
この重量平均分子量は、好ましくは３０，０００以上１５０，０００以下であり、より好ましくは５０，０００以上１５０，０００以下である。
重合体（ＩＩ）の重量平均分子量の測定法については後述する。
【００６６】
・（ｆ）分子量分布（Ｍｗ／Ｍｎ）＜４
重合体（ＩＩ）において、分子量分布（Ｍｗ／Ｍｎ）が４未満であると、得られるスパンボンド不織布におけるべたつきの発生が抑制される。この分子量分布は、好ましくは１．５以上３以下である。
上記重量平均分子量（Ｍｗ）は、ゲルパーミエーションクロマトグラフィー（ＧＰＣ）法により、下記の装置及び条件で測定したポリスチレン換算の重量平均分子量である。上記分子量分布（Ｍｗ／Ｍｎ）は、同様にして測定した数平均分子量（Ｍｎ）及び上記重量平均分子量（Ｍｗ）より算出した値である。
【００６７】
［ＧＰＣ測定装置］
カラム  ：ＴＯＳＯ  ＧＭＨＨＲ−Ｈ（Ｓ）ＨＴ
検出器  ：液体クロマトグラム用ＲＩ検出器  ＷＡＴＥＲＳ  １５０Ｃ
［測定条件］
溶媒  ：１，２，４−トリクロロベンゼン
測定温度  ：１４５℃
流速  ：１．０ｍｌ／分
試料濃度  ：２．２ｍｇ／ｍｌ
注入量  ：１６０μｌ
検量線  ：Ｕｎｉｖｅｒｓａｌ  Ｃａｌｉｂｒａｔｉｏｎ
解析プログラム  ：ＨＴ−ＧＰＣ（Ｖｅｒ．１．０）
【００６８】
重合体（ＩＩ）は、更に、以下の（ｇ）の要件を満たすことが好ましい。
（ｇ）融点（Ｔｍ−Ｄ）＝０℃以上１２０℃以下
重合体（ＩＩ）の融点（Ｔｍ−Ｄ）は、（ｇ）示差走査型熱量計（ＤＳＣ）を用いて、窒素雰囲気下−１０℃で５分間保持した後１０℃／分で昇温させることにより得られた融解吸熱カーブの最も高温側に観測されるピークのピークトップとして定義される融点（Ｔｍ−Ｄ）である。
重合体（ＩＩ）の融点（Ｔｍ−Ｄ）が０℃以上であると、組成物により形成されるスパンボンド不織布のべたつきの発生が抑制され、１２０℃以下であると、十分な弾性回復性が得られる。このような観点から、融点（Ｔｍ−Ｄ）は、より好ましくは０℃以上１００℃以下であり、更に好ましくは３０℃以上１００℃以下である。
【００６９】
なお、上記融点（Ｔｍ−Ｄ）は、示差走査型熱量計（パーキン・エルマー社製、ＤＳＣ−７）を用い、試料１０ｍｇを窒素雰囲気下−１０℃で５分間保持した後、１０℃／分で昇温させることにより得られた融解吸熱カーブの最も高温側に観測されるピークのピークトップとして求めることができる。
【００７０】
重合体（ＩＩ）は、メルトフローレート（ＭＦＲ：ＡＳＴＭ  Ｄ  １２３８、２３０℃、荷重２１６０ｇ）が、良好な紡糸性と優れた延伸加工適性を得る点より、通常、１ｇ／１０分以上１００ｇ／１０分以下の範囲にあることが好ましく、５ｇ／１０分以上１００ｇ／１０分以下の範囲にあることがより好ましく、３０ｇ／１０分以上７０ｇ／１０分以下の範囲にあることが更に好ましい。
【００７１】
重合体（ＩＩ）は、例えば、国際公開第２００３／０８７１７２号に記載されているような、いわゆるメタロセン触媒と呼ばれる均一系の触媒を用いて合成することができる。
【００７２】
〔添加剤〕
組成物は、本実施形態の目的を損なわない範囲で、任意成分として、酸化防止剤、耐熱安定剤、耐候安定剤、帯電防止剤、スリップ剤、防曇剤、滑剤、染料、顔料、天然油、合成油、ワックス、脂肪酸アミド等の種々公知の添加剤を含んでもよい。
【００７３】
［脂肪酸アミド］
組成物は、既述の通り、炭素数１５以上２２以下の脂肪酸アミドを含有することが好ましい。
組成物が脂肪酸アミドを含有することで、組成物により形成されるスパンボンド不織布の繊維表面に脂肪酸アミドが吸着し、繊維表面が改質されて柔軟性、触感、耐ブロッキング性等がより向上し、エンボス工程等で使用する装置内の各種回転機器等の部材への不織布繊維の付着がより効果的に抑制されると考えられる。
【００７４】
炭素数１５以上２２以下の脂肪酸アミドとしては、脂肪酸モノアミド化合物、脂肪酸ジアミド化合物、飽和脂肪酸モノアミド化合物、及び不飽和脂肪酸ジアミド化合物が挙げられる。
なお、本明細書における脂肪酸アミドの炭素数とは、分子中に含まれる炭素数を意味し、アミドを構成する−ＣＯＮＨにおける炭素も炭素数に含まれる。脂肪酸アミドの炭素数は、より好ましくは１８以上２２以下である。
【００７５】
組成物に使用し得る脂肪酸アミドとしては、具体的には、パルミチン酸アミド（炭素数１６）、ステアリン酸アミド（炭素数１８）、オレイン酸アミド（炭素数１８）、エルカ酸アミド（炭素数２２）などが挙げられる。
脂肪酸アミドは、組成物に１種のみ用いてもよく、２種以上を用いてもよい。
組成物の全量に対する脂肪酸アミドの好ましい含有量は、既述の通りである。
【００７６】
＜スパンボンド不織布の製造方法＞
本実施形態のスパンボンド不織布は、既述の組成物の１種又は２種以上を用いて常法により製造することができる。
具体的には、本実施形態のスパンボンド不織布は、以下に示す本実施形態のスパンボンド不織布の製造方法により製造されることが好ましい。
本実施形態のスパンボンド不織布の製造方法は、融点１４０℃以上のプロピレン単独重合体と、密度が０．９４１ｇ／ｃｍ３以上０．９７０ｇ／ｃｍ３以下であるポリエチレンと、特定重合体と、を含む組成物を、押し出し機Ａ及び押し出し機Ｂから、押し出される組成物の量が質量基準で８５：１５〜５５：４５（押し出し機Ａ：押し出し機Ｂ）となるように押し出すことを特徴とする。
【００７７】
本発明者らは、上記のように２台の押し出し機から異なった割合で樹脂組成物を押し出すことで、得られたスパンボンド不織布の伸長性が高まるという新たな知見を得た。上記のように２台の押し出し機から異なった割合で樹脂組成物を押し出すことで、ポリプロピレンの配向結晶化の阻害がより適切に行われ伸長性がより高まると考えられる。
【００７８】
本実施形態のスパンボンド不織布の製造方法は、押し出し機Ａ及び押し出し機Ｂの２台を使用することにより、スパンボンド不織布の伸長性を向上させることができる。
スパンボンド不織布の伸長性向上の観点から、押し出し機Ａ及び押し出し機Ｂから押し出される組成物の量は、８０：２０〜５５：４５であることが好ましく、７５：２５〜５５：４５であることがより好ましい。
【００７９】
本実施形態のスパンボンド不織布の製造方法は、押し出し機Ａ及び押し出し機Ｂから同じ組成物を各押し出し機内で混合し（以下、「混合工程」ともいう）、混合工程を経て溶融された同じ組成物がノズルに供給されることが好ましい。そして、押し出し機Ａ及び押し出し機Ｂから出た溶融樹脂が口金に到達するまでに合流し、スパンボンド法にて不織布を得る不織布形成工程により糸を成形する。
【００８０】
本実施形態の押し出し機Ａの口径Ａは、前記押し出し機Ｂの口径Ｂよりも大きいことが、スパンボンド不織布の伸長性向上の観点から好ましい。
ここで、口径とは、押し出し機（以下、「押出機」とも称する）の出口部分、すなわち、ノズルに繋がる流路の口径のことを示す。また、押し出し機の口金の形状は特に限定されるものではない。
【００８１】
〔混合工程〕
混合工程では、融点１４０℃以上のプロピレン単独重合体と、密度が０．９４１ｇ／ｃｍ３以上０．９７０ｇ／ｃｍ３以下であるポリエチレンと、特定重合体と、を混合して組成物を得る。
また、本工程で用いる、ポリエチレン以外の成分、即ち、融点１４０℃以上のプロピレン単独重合体、特定重合体、及び添加剤（炭素数１５以上２２以下の脂肪酸アミド等の任意成分）は、それぞれ、溶融した状態のものであってもよいし、固体であってもよい。
本工程は、不織布形成工程にて用いる押出機中で行ってもよい。
【００８２】
本工程に用いるポリエチレンの含有量は、組成物の全量に対して１．０質量％以上１５．０質量％以下であることが好ましい。
また、本工程に用いる特定重合体の含有量は、組成物の全量に対して５質量％以上３０質量％以下であることが好ましい。
更に、本工程で用いる融点１４０℃以上のプロピレン単独重合体の含有量は、組成物の全量に対して５５．０質量％以上９０．０質量％以下であることが好ましい。
【００８３】
更に、本工程は、炭素数１５以上２２以下の脂肪酸アミドを更に混合して組成物を得る工程であることが好ましい。
つまり、本工程は、融点１４０℃以上のプロピレン単独重合体と、密度が０．９４１ｇ／ｃｍ３以上０．９７０ｇ／ｃｍ３以下であるポリエチレンと、特定重合体と、炭素数１５以上２２以下の脂肪酸アミドと、を混合して組成物を得る工程であることが好ましい。
そして、本工程で用いる炭素数１５以上２２以下の脂肪酸アミドの含有量は、組成物の全量に対して０．１質量％以上５．０質量％以下であることが好ましい。
【００８４】
〔不織布形成工程〕
不織布形成工程では、混合工程で得られた組成物からスパンボンド法にて不織布を得る。
本工程では、例えば、以下の方法で、不織布を得る。
即ち、同じ組成物を、２台の押出機を用いて溶融し、溶融した同じ組成物を、複数の紡糸口金を有するスパンボンド不織布成形機を用いて溶融紡糸し、紡糸により形成された長繊維を必要に応じて冷却した後、スパンボンド不織布成形機の捕集面上に堆積させ、エンボスロールで加熱加圧処理する方法である。
【００８５】
組成物の溶融温度は、紡糸に使用される組成物の軟化温度又は融解温度以上で且つ熱分解温度未満であれば特に限定されず、用いる組成物の物性等により適宜決定すればよい。
紡糸口金の温度は、用いる組成物に依存するが、本工程で用いる組成物がプロピレン単独重合体の含有量が多い組成物であるため、１８０℃以上２４０℃以下であることが好ましく、１９０℃以上２３０℃以下であることがより好ましく、２００℃以上２２５℃以下であることが更に好ましい。
【００８６】
紡糸した長繊維を冷却する場合、長繊維が冷却されながら延伸されるよう、長繊維に対し冷却風をあてる手法を用いることが好ましい。
紡糸した長繊維を冷却する冷却風の温度は、組成物が固化する温度であれば特に限定はされない。冷却風の温度は、一般的には、５℃以上５０℃以下が好ましく、１０℃以上４０℃以下がより好ましく、１５℃以上３０℃以下の範囲であることが更に好ましい。
紡糸した長繊維を冷却風により延伸する場合、冷却風の風速は、通常、１００ｍ／分以上１０，０００ｍ／分以下の範囲、好ましくは５００ｍ／分以上１０，０００ｍ／分以下の範囲である。
【００８７】
〔不織布積層体〕
本実施形態のスパンボンド不織布は、単独で用いてもよいし、目的に応じて、本実施形態のスパンボンド不織布と他の層とを積層した不織布積層体としてもよいし、本実施形態のスパンボンド不織布を複数含む不織布積層体としてもよい。
本実施形態のスパンボンド不織布を用いて不織布積層体とする場合、本実施形態のスパンボンド不織布以外の他の層は、１層であってもよいし、２層以上であってもよい。
【００８８】
本実施形態のスパンボンド不織布以外の他の層として、具体的には、編布、織布、本実施形態のスパンボンド不織布以外の不織布、フィルム等が挙げられる。
本実施形態のスパンボンド不織布に他の層を更に積層する（貼り合せる）方法は、特に制限されず、熱エンボス加工、超音波融着等の熱融着法、ニードルパンチ、ウォータージェット等の機械的交絡法、ホットメルト接着剤、ウレタン系接着剤等の接着剤を用いる方法、押出しラミネート等の種々の方法を採り得る。
【００８９】
本実施形態のスパンボンド不織布と積層して不織布積層体を形成し得る他の不織布としては、本実施形態のスパンボンド不織布以外のスパンボンド不織布、メルトブローン不織布、湿式不織布、乾式不織布、乾式パルプ不織布、フラッシュ紡糸不織布、開繊不織布等の、種々公知の不織布が挙げられる。
これらの不織布は伸縮性不織布であっても、非伸縮性不織布であってもよい。
ここで非伸縮性不織布とは、ＭＤ（即ち、不織布の流れ方向、縦方向）又はＣＤ（即ち、不織布の流れ方向に直角の方向、横方向）に伸長後、戻り応力を発生させないものをいう。
【００９０】
本実施形態のスパンボンド不織布と積層して不織布積層体を形成し得るフィルムとしては、不織布積層体が通気性を必要とする場合には、通気性フィルム、すなわち透湿性フィルムが好ましい。
通気性フィルムとしては、透湿性を有するポリウレタン系エラストマー、ポリエステル系エラストマー、ポリアミド系エラストマー等の熱可塑性エラストマーからなるフィルム、無機微粒子又は有機微粒子を含む熱可塑性樹脂からなるフィルムを延伸して多孔化してなる多孔フィルム等の、種々の公知の通気性フィルムが挙げられる。
多孔フィルムに用いる熱可塑性樹脂としては、高圧法低密度ポリエチレン、線状低密度ポリエチレン（所謂、ＬＬＤＰＥ）、高密度ポリエチレン、ポリプロピレン、ポリプロピレンランダム共重合体、これらの組み合わせ等のポリオレフィンが好ましい。
また、不織布積層体が通気性を必要としない場合には、ポリエチレン、ポリプロピレン等から選ばれる１種以上の熱可塑性樹脂からなるフィルムを用いることができる。
【００９１】
不織布積層体の一部を熱融着する場合の熱融着方法としては、種々公知の方法、例えば、超音波等の手段を用いる方法、エンボスロールを用いる熱エンボス加工、及びホットエアースルーが挙げられる。
中でも、熱融着方法は熱エンボス加工であることが、不織布積層体を延伸する際に、長繊維が効率よく延伸されるため好ましい。
【００９２】
熱エンボス加工により不織布積層体の一部を熱融着する場合は、通常、エンボス面積率が５％以上３０％以下、好ましくは５％以上２０％以下、非エンボス単位面積が０．５ｍｍ２以上、好ましくは４ｍｍ２以上４０ｍｍ２以下の範囲である。
非エンボス単位面積とは、四方をエンボス部で囲まれた最小単位の非エンボス部において、エンボスに内接する四角形の最大面積である。また刻印形状としては、円、楕円、長円、正方、菱、長方、四角及びそれら形状を基本とする連続した形が例示される。
【００９３】
得られた不織布積層体を延伸することによって、伸縮性を有する伸縮性不織布積層体とすることができる。
延伸加工の方法は特に制限されず、従来公知の方法を適用できる。
延伸加工の方法は、部分的に延伸する方法であってもよく、全体的に延伸する方法であってもよい。また、延伸加工の方法は、一軸延伸する方法であっても、二軸延伸する方法であってもよい。
機械の流れ方向（ＭＤ）に延伸する方法としては、例えば、２つ以上のニップロールに、部分的に融着した混合繊維を通過させる方法が挙げられる。このとき、ニップロールの回転速度を、機械の流れ方向の順に速くすることによって部分的に融着した不織布積層体を延伸できる。また、ギア延伸装置を用いてギア延伸加工することもできる。
【００９４】
延伸倍率は、好ましくは５０％以上、より好ましくは１００％以上、更に好ましくは２００％以上であり、且つ、好ましくは１０００％以下、より好ましくは４００％以下である。
【００９５】
一軸延伸の場合には機械の流れ方向（ＭＤ）の延伸倍率、又は、これに垂直な方向（ＣＤ）のいずれかが上記延伸倍率を満たすことが好ましい。二軸延伸の場合には機械の流れ方向（ＭＤ）とこれに垂直な方向（ＣＤ）のうち、少なくとも一方が上記延伸倍率を満たすことが好ましい。
【００９６】
このような延伸倍率で延伸加工することにより、スパンボンド不織布における弾性を有する長繊維は延伸され、延伸性を有しない長繊維は、塑性変形して、上記延伸倍率に応じて伸長される。
また、積層される他の層においても同様に、弾性を有する層は弾性変形し、弾性を有しない層は塑性変形する。
不織布積層体を形成する際に、弾性を有する層と弾性を有しない層とを積層して、延伸した後、応力が解放されると、弾性を有する層（具体的には、層を構成する長繊維）は弾性回復し、弾性を有しない長繊維は、弾性回復せずに褶曲し、不織布積層体に嵩高感を発現させることができる。塑性変形した長繊維は細くなるので柔軟性及び触感が良くなるとともに、不織布積層体に伸び止り機能を付与することができる。
【００９７】
＜用途＞
本実施形態のスパンボンド不織布は、例えば、衛生材料に好適に用いることができる。衛生材料としては、例えば、紙おむつ、生理用ナプキン等の吸収性物品；包袋、医療用ガーゼ、タオル、医療用ガウン、サージカルドレープ、創傷被覆材等の医療用衛生材料；衛生マスク等が挙げられる。
また、本実施形態のスパンボンド不織布は、例えば、美容用フェイスマスク、化粧用パフ等の美容用材料としても好適に用いることができる。
また、本実施形態のスパンボンド不織布は、例えば、フィルター、吸音材、油吸着材に代表される産業資材としても好適に用いることができる。
伸長性に優れる不織布は、ふんわりとした感触を与えやすいため、肌に接する用途に適している。そのため、これらの用途の中でも、衛生材料により好適に用いることができる。
【００９８】
本実施形態のスパンボンド不織布を上述の用途に用いる場合、本実施形態のスパンボンド不織布を単層で用いてもよく、本実施形態のスパンボンド不織布を積層して用いてもよく、本実施形態のスパンボンド不織布と他の層状の物品とを積層して用いてもよい。すなわち、本実施形態のスパンボンド不織布を含む不織布積層体として用いてもよい。他の層状の物品としては、例えば、本実施形態のスパンボンド不織布以外の不織布、フィルム、コットン、フエルト等が挙げられる。
【００９９】
＜衛生材料＞
本実施形態の衛生材料は、既述の本実施形態のスパンボンド不織布を含む。
本発明のスパンボンド不織布は、伸長性に優れるものである。そのため、本実施形態のスパンボンド不織布は、衛生材料に好適に用いられる。
【０１００】
衛生材料は、本実施形態のスパンボンド不織布を、本実施形態のスパンボンド不織布とその他の層とを含む不織布積層体として含んでいてもよい。
【実施例】
【０１０１】
以下、実施例に基づいて本発明の実施形態について更に具体的に説明するが、本発明は、本発明の一実施形態であるこれらの実施例に限定されるものではない。
実施例及び比較例における物性値等は、以下の方法により測定した。【０１０２】
（１）島相の直径〔μｍ〕
スパンボンド不織布から繊維を取り出し、パラフィンに包埋し、測定試料を作製した。そして、測定試料を、繊維の軸方向に直交する方向と刃が平行するようにミクロトームに設置し、繊維の軸方向に直交する方向に沿ってスライスした。その後、スライスして得られた繊維にカーボン補強を施した後、スライスして得られた繊維の断面について、透過型電子顕微鏡（ＴＥＭ：Transmission Electron Microscope）を用いて観察した。繊維の断面には、海島模様が確認された。連続した相を海相、分散して存在する相を島相として、観察範囲内(断面)にある島相の直径を計測した。直径が０．６３μｍ以上である島相の個数、直径が０．１２μｍ以上０．６３μｍ未満である島相の個数、及び、直径が０．１２μｍ未満である島相の個数を数えた。各範囲に該当する島相の個数を、観察範囲内(断面)の島相数で割って割合を算出した。
ここで、透過型電子顕微鏡としては、日立ハイテク(株)製の透過型電子顕微鏡型式：Ｈ−７６５０を用いた。観察倍率は６０００倍又は８０００倍とした。
島相の直径は、Ｍａｃ−Ｖｉｅｗ（株式会社マウンテック）にて画像解析を行い求めた。具体的には、島相の長径と短径とを測定し、その平均値を直径とした。【０１０３】
（２）目付〔ｇ／ｍ２〕
スパンボンド不織布から、流れ方向（ＭＤ）が３００ｍｍ、横方向（ＣＤ）が２５０ｍｍの試験片を１０枚採取した。なお、採取箇所は任意の１０箇所とした。次いで、採取した各試験片の質量（ｇ）を、上皿電子天秤（研精工業社製）を用いてそれぞれ測定した。各試験片の質量の平均値を求めた。求めた平均値から１ｍ２当たりの質量（ｇ）に換算し、小数点第１位を四捨五入して、スパンボンド不織布の目付〔ｇ／ｍ２〕とした。【０１０４】
（３）最大伸度〔％〕及び最大強度〔Ｎ／５０ｍｍ〕
スパンボンド不織布から、ＪＩＳ Ｌ １９０６の６．１２．１［Ａ法］（ＪＩＳ  Ｌ  １９１３：２０１０へ移行、ＩＳＯ  ９０７３−３：１９８９に対応）に準拠して、ＪＩＳ Ｚ ８７０３（ＩＳＯ  ５５４：１９７６に対応、試験場所の標準状態）に規定する温度２０±２℃、湿度６５±２％の恒温室内で、流れ方向（ＭＤ）が２５ｃｍ、横方向（ＣＤ）が５ｃｍの試験片を５枚採取した。得られた試験片について、チャック間１００ｍｍ、及び引張速度３００ｍｍ／分の条件で引張り試験機（インストロンジャパンカンパニイリミテッド製、インストロン５５６４型）を用いて引張試験を行った。５枚の試験片について引張荷重を測定し、それらの最大値の平均値を最大強度とした。
また、最大強度における伸度を最大伸度とした。【０１０５】
（４）ヒートシール性評価
［ヒートシール方法］
スパンボンド不織布から、流れ方向（ＭＤ）が１００ｍｍ、横方向（ＣＤ）が１００ｍｍの試験片を１０点採取した。次いでこの試験片をＭＤ方向が同じ向きになるように２枚重ね合せ、テスター産業（株）製のヒートシール試験機（製品名：ヒートシールテスター）を使用し、下記の条件でヒートシールを行った。
シールバー幅：１０．０ｍｍ
シール圧力  ：２．０ｋｇ／ｃｍ２
シール時間  ：１．０秒
シール温度  ：上部バー及び下部バーを同一温度に設定（１４５℃）
シール方向  ：ＭＤと垂直【０１０６】
［ヒートシール性の確認］
定速度引張試験機（（株）東洋精機社製、製品名：ストログラフ）を用いて、上記条件でヒートシールを行なった試験片の引張剥離試験を、下記の条件で各々５枚ずつ実施して、剥離の有無を確認し、５枚全てにおいて剥離がなかった場合を「ヒートシール性有り」と評価した。
試験片形状      ：幅２０ｍｍ、長さ５０ｍｍ
引張速度        ：３０ｍｍ／分
測定時雰囲気温度：２３℃【０１０７】
（５）エンボス残存率〔％〕
スパンボンド不織布から、流れ方向（ＭＤ）が２５０ｍｍ、横方向（ＣＤ）が２００ｍｍの試験片を１枚採取した。得られた試験片を、図３に示すようなギア延伸装置（言い換えると、ギア加工機）のロール回転方向と試験片のＣＤ方向が一致するように挿入し、ＭＤ方向（すなわち、不織布の流れ方向）にギア延伸されたスパンボンド不織布を得た。ギア加工機に搭載されるギアロールは各々直径が２００ｍｍ、ギアピッチが２．５ｍｍであり、両ロールの噛み合い深さを５．５ｍｍとなるように調整した。
ギア延伸されたスパンボンド不織布のエンボス部について、走査電子顕微鏡（ＳＥＭ：:Scanning Electron Microscope）を用いて形態観察を行い、ギア延伸された後のエンボスの残存率を評価した。エンボス残存率が高いほど、触感が良好であるとした。エンボス残存率は下記の式を用いて算出した。
エンボス残存率＝（破壊されていないエンボス数／観察されたエンボス数）×１００
なお、ギア延伸されたスパンボンド不織布のエンボス部の観察により、エンボス部での孔あき、繊維の脱離、及びエンボス部とその境界における繊維切れのいずれもが確認されなかったエンボス部を「破壊されていないエンボス」とした。「破壊されていないエンボス数」とは、観察範囲内に存在する破壊されていないエンボスの個数を意味する。「観察されたエンボス数」とは、観察範囲内に存在するエンボスの個数を意味する。
ギア加工機を用いた延伸加工により形成されたエンボスの残存率が良好であり、延伸加工時にエンボス部とその境界におけるスパンボンド不織布の繊維切れ、及び繊維切れに起因する不織布の破れが発生しないことにより、スパンボンド不織布の延伸加工適性が良好であることを確認できる。
走査電子顕微鏡としては、日立製作所社製のＳ−３５００Ｎ形走査電子顕微鏡を用い、観察倍率を１００倍とした。【０１０８】
（６）柔軟性評価
スパンボンド不織布に関し、直接手で触れた際の触感（手触り）を官能評価し、以下の基準に基づいて評価を行った。官能評価はモニター１０名で行ない、最も回答の多かった評価結果を採用した。
なお、最も回答が多かった評価結果が複数あった場合、より優れる結果の方を採用した。
−評価基準−
Ａ：手触りが非常に良好で柔軟性に優れていた
Ｂ：手触りが良好で、下記Ｃ評価に比べれば柔軟性に優れていた。
Ｃ：手触りに硬さがあり柔軟性が劣っていた。【０１０９】
［実施例１］
＜スパンボンド不織布の製造＞
−混合工程−
ＭＦＲ（ＡＳＴＭ  Ｄ  １２３８、２３０℃、荷重２１６０ｇ）５ｇ／１０分、密度０．９５ｇ／ｃｍ３、及び融点１３４℃の高密度ポリエチレン７質量部と、ＭＦＲ（ＡＳＴＭ  Ｄ  １２３８、２３０℃、荷重２１６０ｇ）６０ｇ／１０分、密度０．９１ｇ／ｃｍ３、及び融点１６０℃のプロピレン単独重合体７２．７質量部と、ＭＦＲ（ＡＳＴＭ  Ｄ  １２３８、２３０℃、荷重２１６０ｇ）６０ｇ／１０分、密度０．９１ｇ／ｃｍ３、及び融点１４２℃のプロピレンランダム共重合体（プロピレンとエチレンとの共重合体、重合モル比９７：３、重合体（Ｉ））２０質量部と、エルカ酸アミド０．３質量％と、を混合して、組成物を得た。【０１１０】
−不織布形成工程−
上記混合工程で得られた組成物を、図２に示す２台の押出機を備えるスパンボンド不織布製造装置（以下、「ＢＣ」とも示す）を使用して溶融紡糸を行った。このスパンボンド製造装置は、原料を押し出す押出機１（「押し出し機Ａ」ともいう）及び押出機１’（「押し出し機Ｂ」ともいう）と、押し出された原料を紡糸して繊維３とする紡糸口金２と、延伸後の繊維を捕集することにより不織布８とする捕集面６を備えるコレクター装置と、不織布８の少なくとも一部を熱融着するボンディングユニット９と、熱融着後の不織布を巻き取るワインダー１０と、を備える。コレクター装置は、繊維を捕集する面（捕集面６）の下部に、吸引によって繊維を効率良く補集するためのサクションユニット７を備える。このスパンボンド不織布製造装置において、紡糸口金２によって得られた繊維３は、冷却室５中のクエンチエアー４（空気）によって冷却される。
具体的には、口径１７５ｍｍφの押出機１と口径１５０ｍｍφの押出機１’を用い溶融し、孔数５７７６ホール／ｍの紡糸口金２を有するスパンボンド不織布製造装置（密閉式スパンボンド法に用いる装置、捕集面６上の機械の流れ方向に垂直な方向の長さ：４２７３ｍｍ）を用いて、組成物の溶融温度とダイ温度が共に２４０℃、冷却風温度２０℃、及び延伸エア風量２３６５３ｍ３／時の条件で、密閉式スパンボンド法により溶融紡糸を行った。また、このとき、押出機１と押出機１’とから押し出される樹脂組成物の量が質量基準で６０：４０となるようにした。
紡糸された繊維３を捕集面６上に堆積させ、エンボスロールで加熱加圧処理（エンボス面積率（熱圧着率）１８％、エンボス温度１２５℃以上１３０℃以下）して、総目付量が１８．０ｇ／ｍ２であるスパンボンド不織布８を作製した。【０１１１】
得られた実施例１のスパンボンド不織布を既述の評価方法にて評価した。
結果を下記表１に示す。【０１１２】
［実施例２］
＜スパンボンド不織布の製造＞
押出機１と押出機１’とから押し出される樹脂組成物の量を質量基準で７０：３０とした以外は、実施例１と同様の操作を行った。【０１１３】
得られた実施例２のスパンボンド不織布を既述の評価方法にて評価した。
結果を下記表１に示す。
また、図１Ａに実施例２で得られたスパンボンド不織布における繊維の断面を透過型電子顕微鏡で観察したときの像を示す。【０１１４】
［実施例３］
＜スパンボンド不織布の製造＞
押出機１と押出機１’とから押し出される樹脂組成物の量を質量基準で８０：２０とした以外は、実施例１と同様の操作を行った。【０１１５】
得られた実施例３のスパンボンド不織布を既述の評価方法にて評価した。
結果を下記表１に示す。
また、図１Ｂに実施例３で得られたスパンボンド不織布における繊維の断面を透過型電子顕微鏡で観察したときの像を示す。【０１１６】
［比較例１］
＜スパンボンド不織布の製造＞
上記混合工程で得られた組成物を、図２に示す２台の押出機を備えるスパンボンド不織布製造装置に代えて、（図示しない）１台の押出機を備えるスパンボンド不織布製造装置（以下、「ＭＣ」とも示す）を使用して溶融紡糸を行った以外は、実施例１と同様の操作を行った。【０１１７】
得られた比較例１のスパンボンド不織布を既述の評価方法にて評価した。
結果を下記表１に示す。
また、図１Ｃに比較例１で得られたスパンボンド不織布における繊維の断面を透過型電子顕微鏡で観察したときの像を示す。【０１１８】
【表１】
2020158875.tif 000003
【０１１９】
表１の結果より、実施例で得た本実施形態のスパンボンド不織布は、比較例に比べ伸長性が優れることが分かる。【０１２０】
また、上記表１に示すように、実施例のスパンボンド不織布は、伸長性に優れることに加え、いずれもヒートシール性が良好であり、エンボス残存率が良好であることから延伸加工適性に優れることが分かる。更に、実施例のスパンボンド不織布は、いずれも柔軟性に優れていた。
これらの評価結果より、本実施形態のスパンボンド不織布は、伸長性、柔軟性、及び加工適性を必要とする衛生材料の用途に好適であることが分かる。【０１２１】
なお、２０１９年１月３０日に出願された日本国特許出願２０１９−０１４６８０号の開示は、その全体が参照により本明細書に取り込まれる。また、本明細書に記載された全ての文献、特許出願および技術規格は、個々の文献、特許出願、および技術規格が参照により取り込まれることが具体的かつ個々に記された場合と同程度に、本明細書中に参照により取り込まれる。
【図１Ａ】
2020158875.tif 000004
【図１Ｂ】
2020158875.tif 000005
【図１Ｃ】
2020158875.tif 000006
【図２】
2020158875.tif 000007
【図３】
2020158875.tif 000008
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む繊維を含み、
前記繊維が海島構造を有し、前記繊維の軸方向に直交する断面における島相のうち、直径０．１２μｍ以上０．６３μｍ未満の島相の割合が個数基準で３０％以上である、スパンボンド不織布。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率であり、Ｍｎは数平均分子量である。
【請求項２】
直径が０．６３μｍ以上である島相の割合が個数基準で１０％以下である、請求項１に記載のスパンボンド不織布。
【請求項３】
直径が０．１２μｍ未満である島相の割合が個数基準で７０％以下である、請求項１または請求項２に記載のスパンボンド不織布。
【請求項４】
前記ポリエチレンの含有量が、前記繊維の全量に対して１．０質量％以上１５．０質量％以下である、請求項１〜請求項３のいずれか１項に記載のスパンボンド不織布。
【請求項５】
前記（Ｉ）に示す重合体及び（ＩＩ）に示す重合体からなる群より選択される少なくとも一種の重合体の含有量が、前記繊維の全量に対して５．０質量％以上３０．０質量％以下である、請求項１〜請求項４のいずれか１項に記載のスパンボンド不織布。
【請求項６】
前記融点１４０℃以上のプロピレン単独重合体の含有量が、前記繊維の全量に対して５５．０質量％以上９０．０質量％以下である、請求項１〜請求項５のいずれか１項に記載のスパンボンド不織布。
【請求項７】
前記繊維が炭素数１５以上２２以下の脂肪酸アミドを含み、前記炭素数１５以上２２以下の脂肪酸アミドの含有量が、前記繊維の全量に対して０．１質量％以上５．０質量％以下である、請求項１〜請求項６のいずれか１項に記載のスパンボンド不織布。
【請求項８】
前記（Ｉ）に示す重合体が、プロピレンに由来する構成単位とエチレンに由来する構成単位とを少なくとも含むランダム共重合体である、請求項１〜請求項７のいずれか１項に記載のスパンボンド不織布。
【請求項９】
請求項１〜請求項８のいずれか１項に記載のスパンボンド不織布を含む衛生材料。
【請求項１０】
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む組成物を、押し出し機Ａ及び押し出し機Ｂから、押し出される組成物の量が質量基準で８５：１５〜５５：４５（押し出し機Ａ：押し出し機Ｂ）となるように押し出すことを特徴とする、スパンボンド不織布の製造方法。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率であり、Ｍｎは数平均分子量である。
【請求項１１】
前記押し出し機Ａの口径Ａは、前記押し出し機Ｂの口径Ｂよりも大きい、請求項１０に記載のスパンボンド不織布の製造方法。
【手続補正２】
【補正対象書類名】明細書
【補正対象項目名】０００６
【補正方法】変更
【補正の内容】
【０００６】
本開示は、以下の実施態様を含む。
＜１＞
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む繊維を含み、
前記繊維が海島構造を有し、前記繊維の軸方向に直交する断面における島相のうち、直径０．１２μｍ以上０．６３μｍ未満の島相の割合が個数基準で３０％以上である、スパンボンド不織布。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率であり、Ｍｎは数平均分子量である。
＜２＞
直径が０．６３μｍ以上である島相の割合が個数基準で１０％以下である、＜１＞に記載のスパンボンド不織布。
＜３＞
直径が０．１２μｍ未満である島相の割合が個数基準で７０％以下である、＜１＞または＜２＞に記載のスパンボンド不織布。
＜４＞
前記ポリエチレンの含有量が、前記繊維の全量に対して１．０質量％以上１５．０質量％以下である、＜１＞〜＜３＞のいずれか１つに記載のスパンボンド不織布。
＜５＞
前記（Ｉ）に示す重合体及び（ＩＩ）に示す重合体からなる群より選択される少なくとも一種の重合体の含有量が、前記繊維の全量に対して５．０質量％以上３０．０質量％以下である、＜１＞〜＜４＞のいずれか１つに記載のスパンボンド不織布。
＜６＞
前記融点１４０℃以上のプロピレン単独重合体の含有量が、前記繊維の全量に対して５５．０質量％以上９０．０質量％以下である、＜１＞〜＜５＞のいずれか１つに記載のスパンボンド不織布。
＜７＞
前記繊維が炭素数１５以上２２以下の脂肪酸アミドを含み、前記炭素数１５以上２２以下の脂肪酸アミドの含有量が、前記繊維の全量に対して０．１質量％以上５．０質量％以下である、＜１＞〜＜６＞のいずれか１つに記載のスパンボンド不織布。
＜８＞
前記（Ｉ）に示す重合体が、プロピレンに由来する構成単位とエチレンに由来する構成単位とを少なくとも含むランダム共重合体である、＜１＞〜＜７＞のいずれか１つに記載のスパンボンド不織布。
＜９＞
＜１＞〜＜８＞のいずれか１つに記載のスパンボンド不織布を含む衛生材料。
＜１０＞
融点１４０℃以上のプロピレン単独重合体と、密度が０．９４１ｇ／ｃｍ３以上０．９７０ｇ／ｃｍ３以下であるポリエチレンと、下記（Ｉ）に示す重合体及び下記（ＩＩ）に示す重合体からなる群より選択される少なくとも一種の重合体と、を含む組成物を、押し出し機Ａ及び押し出し機Ｂから、押し出される組成物の量が質量基準で８５：１５〜５５：４５（押し出し機Ａ：押し出し機Ｂ）となるように押し出すことを特徴とする、スパンボンド不織布の製造方法。
（Ｉ）プロピレンと、エチレン及び炭素数が４以上２０以下であるα−オレフィンから選ばれる少なくとも１種と、のランダム共重合体
（ＩＩ）下記（ａ）〜（ｆ）を満たす融点１２０℃未満のプロピレン単独重合体
（ａ）［ｍｍｍｍ］＝２０モル％以上６０モル％以下
（ｂ）［ｒｒｒｒ］／（１−［ｍｍｍｍ］）≦０．１
（ｃ）［ｒｍｒｍ］＞２．５モル％
（ｄ）［ｍｍ］×［ｒｒ］／［ｍｒ］２≦２．０
（ｅ）重量平均分子量（Ｍｗ）＝１０，０００以上２００，０００以下
（ｆ）分子量分布（Ｍｗ／Ｍｎ）＜４
（ａ）〜（ｄ）中、［ｍｍｍｍ］はメソペンタッド分率であり、［ｒｒｒｒ］はラセミペンタッド分率であり、［ｒｍｒｍ］はラセミメソラセミメソペンタッド分率であり、［ｍｍ］、［ｒｒ］及び［ｍｒ］はそれぞれトリアッド分率である。
＜１１＞
前記押し出し機Ａの口径Ａは、前記押し出し機Ｂの口径Ｂよりも大きい、前記＜１０＞に記載のスパンボンド不織布の製造方法。
【手続補正３】
【補正対象書類名】明細書
【補正対象項目名】００２０
【補正方法】変更
【補正の内容】
【００２０】
また、本実施形態における組成物に含まれるポリエチレンは、スパンボンド不織布の強度の向上の点から、密度が０．９４１ｇ／ｃｍ３以上０．９７０ｇ／ｃｍ３以下の範囲にある。
組成物におけるポリエチレンの密度が上記範囲であることで、得られるスパンボンド不織布の強度の向上が図れる。
【手続補正４】
【補正対象書類名】明細書
【補正対象項目名】００３３
【補正方法】変更
【補正の内容】
【００３３】
スパンボンド不織布から、流れ方向（ＭＤ）が２５０ｍｍ、横方向（ＣＤ）が２００ｍｍの試験片を１枚採取する。得られた試験片を、図３に示すようなギア延伸装置（言い換えると、ギア加工機）のロール回転方向と試験片のＣＤ方向が一致するように挿入し、ＭＤ方向（すなわち、不織布の流れ方向）にギア延伸されたスパンボンド不織布を得る。ギア加工機に搭載されるギアロールは各々直径が２００ｍｍ、ギアピッチが２．５ｍｍであり、両ロールの噛み合い深さを５．５ｍｍとなるように調整する。ギア延伸されたスパンボンド不織布のエンボス部について、走査電子顕微鏡（ＳＥＭ：Scanning Electron Microscope）を用いて形態観察を行う。エンボス残存率は、下記の式に基づいて算出する。
エンボス残存率＝（破壊されていないエンボス数／観察されたエンボス数）×１００
なお、ギア延伸されたスパンボンド不織布のエンボス部の観察により、エンボス部での孔あき、繊維の脱離、及びエンボス部とその境界における繊維切れのいずれもが確認されなかったエンボス部を「破壊されていないエンボス」とする。「破壊されていないエンボス数」とは、観察範囲内に存在する破壊されていないエンボスの個数を意味する。「観察されたエンボス数」とは、観察範囲内に存在するエンボスの個数を意味する。走査電子顕微鏡としては、日立製作所社製のＳ−３５００Ｎ形走査電子顕微鏡を用い、観察倍率を１００倍とする。
【手続補正５】
【補正対象書類名】明細書
【補正対象項目名】００４１
【補正方法】変更
【補正の内容】
【００４１】
特定ポリプロピレンは、ポリプロピレンの名称で製造又は販売されている結晶性樹脂であって、融点（Ｔｍ）が１４０℃以上の樹脂であれば使用することができる。市販品としては、例えば、融点が１５５℃以上、好ましくは１５７℃以上１６５℃以下の範囲にあるプロピレンの単独重合体が挙げられる。
【手続補正６】
【補正対象書類名】明細書
【補正対象項目名】００４９
【補正方法】変更
【補正の内容】
【００４９】
プロピレンと共重合し得るモノマーとしては、エチレン、１−ブテン、１−ヘキセン、１−オクテン、４−メチル−１−ペンテン等の炭素数４以上２０以下のα−オレフィンが挙げられる。
中でも、プロピレンと共重合させるモノマーは、エチレン又は炭素数４以上８以下のα−オレフィンが好ましい。
重合体（Ｉ）に含まれるα−オレフィンに由来する構成単位は１種のみでもよく、２種以上であってもよい。
重合体（Ｉ）の好ましい例としては、プロピレン・１−ブテンランダム共重合体、プロピレン・エチレンランダム共重合体、プロピレン・エチレン・１−ブテンランダム共重合体などが挙げられる。
【手続補正７】
【補正対象書類名】明細書
【補正対象項目名】０１０７
【補正方法】変更
【補正の内容】
【０１０７】
（５）エンボス残存率〔％〕
スパンボンド不織布から、流れ方向（ＭＤ）が２５０ｍｍ、横方向（ＣＤ）が２００ｍｍの試験片を１枚採取した。得られた試験片を、図３に示すようなギア延伸装置（言い換えると、ギア加工機）のロール回転方向と試験片のＣＤ方向が一致するように挿入し、ＭＤ方向（すなわち、不織布の流れ方向）にギア延伸されたスパンボンド不織布を得た。ギア加工機に搭載されるギアロールは各々直径が２００ｍｍ、ギアピッチが２．５ｍｍであり、両ロールの噛み合い深さを５．５ｍｍとなるように調整した。
ギア延伸されたスパンボンド不織布のエンボス部について、走査電子顕微鏡（ＳＥＭ：Scanning Electron Microscope）を用いて形態観察を行い、ギア延伸された後のエンボスの残存率を評価した。エンボス残存率が高いほど、触感が良好であるとした。エンボス残存率は下記の式を用いて算出した。
エンボス残存率＝（破壊されていないエンボス数／観察されたエンボス数）×１００
なお、ギア延伸されたスパンボンド不織布のエンボス部の観察により、エンボス部での孔あき、繊維の脱離、及びエンボス部とその境界における繊維切れのいずれもが確認されなかったエンボス部を「破壊されていないエンボス」とした。「破壊されていないエンボス数」とは、観察範囲内に存在する破壊されていないエンボスの個数を意味する。「観察されたエンボス数」とは、観察範囲内に存在するエンボスの個数を意味する。
ギア加工機を用いた延伸加工により形成されたエンボスの残存率が良好であり、延伸加工時にエンボス部とその境界におけるスパンボンド不織布の繊維切れ、及び繊維切れに起因する不織布の破れが発生しないことにより、スパンボンド不織布の延伸加工適性が良好であることを確認できる。
走査電子顕微鏡としては、日立製作所社製のＳ−３５００Ｎ形走査電子顕微鏡を用い、観察倍率を１００倍とした。
【手続補正８】
【補正対象書類名】明細書
【補正対象項目名】０１１０
【補正方法】変更
【補正の内容】
【０１１０】
−不織布形成工程−
上記混合工程で得られた組成物を、図２に示す２台の押出機を備えるスパンボンド不織布製造装置（以下、「ＢＣ」とも示す）を使用して溶融紡糸を行った。このスパンボンド製造装置は、原料を押し出す押出機１（「押し出し機Ａ」ともいう）及び押出機１’（「押し出し機Ｂ」ともいう）と、押し出された原料を紡糸して繊維３とする紡糸口金２と、延伸後の繊維を捕集することにより不織布８とする捕集面６を備えるコレクター装置と、不織布８の少なくとも一部を熱融着するボンディングユニット９と、熱融着後の不織布を巻き取るワインダー１０と、を備える。コレクター装置は、繊維を捕集する面（捕集面６）の下部に、吸引によって繊維を効率良く捕集するためのサクションユニット７を備える。このスパンボンド不織布製造装置において、紡糸口金２によって得られた繊維３は、冷却室５中のクエンチエアー４（空気）によって冷却される。
具体的には、口径１７５ｍｍφの押出機１と口径１５０ｍｍφの押出機１’を用い溶融し、孔数５７７６ホール／ｍの紡糸口金２を有するスパンボンド不織布製造装置（密閉式スパンボンド法に用いる装置、捕集面６上の機械の流れ方向に垂直な方向の長さ：４２７３ｍｍ）を用いて、組成物の溶融温度とダイ温度が共に２４０℃、冷却風温度２０℃、及び延伸エア風量２３６５３ｍ３／時の条件で、密閉式スパンボンド法により溶融紡糸を行った。また、このとき、押出機１と押出機１’とから押し出される樹脂組成物の量が質量基準で６０：４０となるようにした。
紡糸された繊維３を捕集面６上に堆積させ、エンボスロールで加熱加圧処理（エンボス面積率（熱圧着率）１８％、エンボス温度１２５℃以上１３０℃以下）して、総目付量が１８．０ｇ／ｍ２であるスパンボンド不織布８を作製した。
【国際調査報告】
2020158875.tif 000009
2020158875.tif 000010
2020158875.tif 000011
2020158875.tif 000012